(57)【要約】【課題】  舗装路面の切断に際して舗装路面上に発生する切削汚泥水を舗装路面上から回収するために用いる切削汚泥水回収パイプ及び舗装路面上への切削汚泥水回収パイプの設置方法を提供する。【解決手段】  舗装路面１の被切断個所を囲むように舗装路面１上に設置される環状中空体４aと、前記環状中空体４aの下端に内部と連通するように形成された吸水口４b1、４b2と、前記環状中空体４aにおける吸水口４b1、４b2の外側に該吸水口４b1、４b2の下端より下方に突出するように周設された弾力性水密シール体４cと、前記環状中空体４aに内部と連通するように形成された排水口４dとからなる切削汚泥水回収パイプ４において、前記環状中空体４aが、吸水口４b1、４b2が形成されている第一区間４a1と、吸水口４b1、４b2が形成されていない第二区間４a2とに区分けされている。【選択図】  図１
2014088709.tif 000002
【特許請求の範囲】
【請求項１】
切断刃による舗装路面の切断に際して発生する切削汚泥水を舗装路面上で吸引、回収するためのものであって、
舗装路面の切断中に舗装路面の被切断個所を囲むように舗装路面上に設置される環状中空体と、前記環状中空体の下端に内部と連通するように形成された吸水口と、前記環状中空体における吸水口の外側に該吸水口の下端より下方に突出するように周設された弾力性水密シール体と、前記環状中空体に内部と連通するように形成された排水口とからなる切削汚泥水回収パイプにおいて、
前記環状中空体が、吸水口が形成されている第一区間と、吸水口が形成されていない第二区間とに区分けされたことを特徴とする切削汚泥水回収パイプ。
【請求項２】
請求項１に記載の切削汚泥水回収パイプにおいて、前記第一区間と第二区間とを外観から識別し得る手段が設けられた切削汚泥水回収パイプ。
【請求項３】
請求項１又は２に記載の切削汚泥水回収パイプにおいて、前記吸水口が環状中空体の下端から内部上方に突入するように設けられた切削汚泥水回収パイプ。
【請求項４】
請求項１〜３の何れかに記載の切削汚泥水回収パイプにおいて、前記弾力性水密シール体が弾力性ゴムパッキン材からなる切削汚泥水回収パイプ。
【請求項５】
請求項１〜４の何れかに記載の切削汚泥水回収パイプにおいて、前記環状中空体の外側底部が平坦に形成された切削汚泥水回収パイプ。
【請求項６】
請求項１〜５の何れかに記載の切削汚泥水回収パイプを舗装路面上へ設置する方法であって、切断刃による舗装路面の切断時に、切削汚泥水回収パイプを舗装路面の被切断個所を囲むように舗装路面上に設置するに際して、
前記環状中空体の第一区間が舗装路面における道路勾配の低い舗装区域に対応させられると共に、前記環状中空体の第二区間が舗装路面における道路勾配の高い舗装区域に対応させられることを特徴とする舗装路面上への切削汚泥水回収パイプの設置方法。
【請求項７】
請求項６に記載の舗装路面上への切削汚泥水回収パイプの設置方法において、環状中空体の第一区間における所要個所に可撓性の重錘が配設された舗装路面上への切削汚泥水回収パイプの設置方法。
【発明の詳細な説明】
【技術分野】
【０００１】
本発明は、舗装路面の切断に際して発生する、切断刃冷却水と切削粉とが混合した切削汚泥水を、舗装路面の切断中及び／又は切断後に舗装路面上で回収するために用いる切削汚泥水回収パイプ及び舗装路面上への切削汚泥水回収パイプの設置方法に関する。
【背景技術】
【０００２】
舗装路面の切断に際して発生する前記切削汚泥水は、これが適正に回収されなければ、側溝等を介して下水道や公共用水域等に排出され、深刻な水質汚濁を招くことから、前記切削汚泥水を効率的に回収して水質汚濁を防止することが強く要請されている。
【０００３】
本出願人による出願に係る特許３２４９８５６号公報（特許文献１）には、軸線を垂直にして回転可能且つ昇降可能に設けられると共に舗装路面を注水下に円形に切断するように配置された円筒状ビットを有する路面切断装置において、前記円筒状ビットの周囲を被覆する筒状カバーの下端縁に沿って吸水パイプが配設されると共に、該吸水パイプにバキューム回収装置が連結され、前記吸水パイプに被切断個所と対向するように設けられた吸水口から舗装路面上の切削汚泥水を吸引、回収するようにした回収装置が開示されている。
【０００４】
前記吸水パイプによれば、舗装路面の切断に際して発生する切削汚泥水を、舗装路面上で、該吸水パイプの吸水口から効果的に吸引、回収することができる。
【０００５】
また、特開２００５−８３００５号公報（特許文献２）には、略垂直方向に延長するセンターシャフトの周りに旋回可能且つ昇降可能に設けられると共に舗装路面を注水下に円形に切断するように配置された円板状又は球冠状切断ブレードを有する路面切断装置において、前記切断ブレードを実質的に覆うブレードカバーの下端開口に、底面に吸引溝が形成された中空四角筒状の汚泥吸引台が周設されると共に、その回りに舗装路面に接地するブラシが周設され、前記汚泥吸引台に吸引パイプを介して吸引ブロアが連結されると共に前記吸引溝から舗装路面上の切削汚泥水を吸引、回収するようにした回収装置が開示されている。
【０００６】
さらに、同公報には、前記汚泥吸引台の吸引溝から吸引された切削汚泥水を水と汚泥とに分離し、分離された水を回収して冷却水として再利用可能とする吸引・分離システムが開示されている。
【先行技術文献】
【特許文献】
【０００７】
【特許文献１】特許３２４９８５６号公報
【特許文献２】特開２００５−８３００５号公報
【発明の概要】
【発明が解決しようとする課題】
【０００８】
しかしながら、特許文献１に開示された発明には、使用に際して前記吸水パイプが舗装路面と直接接触させられており、切削汚泥水の吸引不良や吸水パイプの外側、カバーの外側への切削汚泥水の漏出等が生じ易いという問題点があった。
【０００９】
また、特許文献２に開示された発明には、前記汚泥吸引台の外側に設けられたブラシが、汚泥吸引台が舗装路面に直接接触することによる異音発生を防止すると共に、その毛細管現象によりブレードカバー外部への供給冷却水の飛散を防止し、またブレードカバー内部を実質的に密閉状態に維持する作用を奏し得るとしても、実際には、切削汚泥水の吸引に際してブラシの間隙から切削汚泥水が外側の漏出しやすいこと、切断終了後において前記ブラシ内部に侵入し、一部固化した汚泥の洗浄、除去に多量の水を要し、二次的な切削汚泥水を発生する等の問題点があった。
【００１０】
さらに、特許文献１及び特許文献２に開示された発明には、舗装路面における縦断及び横断方向の道路勾配のために、前記吸水パイプや汚泥吸引台等の中空管による切削汚泥水の吸引が、前記中空管における道路勾配の低い舗装区域に対応する区間、即ち切削汚泥水の滞留し易い舗装区域に対応する区間で集中的、優先的に行われる一方、前記中空管における道路勾配の高い舗装区域に対応する区間、即ち切削汚泥水の滞留し難い舗装区域に対応する区間や滞留量の少ない舗装区域に対応する区間で吸引が空吸引となって、中空管内部の真空度の低下を生じ易くなり、そのため大きなバキューム装置を必要とすること、さらに切削汚泥水の吸引時に、吸水口から吸引されて前記吸水パイプや汚泥吸引台等の中空管内部を排水口に向かって進行する切削汚泥水の流れによって吸水口からの切削汚泥水の吸水が阻害される傾向があること等の共通した問題点があった。
【００１１】
従って、本発明の解決すべき課題は、前記先行技術の問題点に鑑み、舗装路面の切断に際して舗装路面上に発生する切削汚泥水を、舗装路面の切断中及び／又は切断後に舗装路面上から高い回収率で効率的に回収すると共にそれによって下水道や公共用水域等の水質汚濁を防止するために用いる切削汚泥水回収パイプ及び舗装路面上への切削汚泥水回収パイプの設置方法を提供することにある。
なお、本発明の更なる課題と特徴は、以下の詳細な説明とそれを裏付ける添付図面により明らかとなる。
【課題を解決するための手段】
【００１２】
前記課題を解決する、本発明に係る切削汚泥水回収パイプは、
切断刃による舗装路面の切断に際して発生する切削汚泥水を舗装路面上で吸引、回収するためのものであって、
舗装路面の切断中に舗装路面の被切断個所を囲むように舗装路面上に設置される環状中空体と、前記環状中空体の下端に内部と連通するように形成された吸水口と、前記環状中空体における吸水口の外側に該吸水口の下端より下方に突出するように周設された弾力性水密シール体と、前記環状中空体に内部と連通するように形成された排水口とからなる切削汚泥水回収パイプにおいて、
前記環状中空体が、吸水口が形成されている第一区間と、吸水口が形成されていない第二区間とに区分けされたことを特徴としている。
【００１３】
前記環状中空体が前記のように第一区間と第二区間とに区分けされた切削汚泥水回収パイプを、切断刃による舗装路面の切断時に舗装路面の被切断個所を囲むように舗装路面上に設置するに際して、
前記環状中空体の第一区間が舗装路面における道路勾配の低い舗装区域に対応させられると共に、前記環状中空体の第二区間が舗装路面における道路勾配の高い舗装区域に対応させられる。
【００１４】
舗装路面の切断に際して、前記切削汚泥水回収パイプは、環状中空体の排水口を介してバキューム装置に連結され、環状中空体の第一区間における吸水口から吸引、回収された切削汚泥水は、好ましくは、公知のような沈降分離、濾過その他の固液分離装置により水と汚泥とに分離され、分離された回収水は舗装路面の切断のための切断刃冷却水や切断個所等のための洗浄水等として再利用される。
【００１５】
また、舗装路面の切断後に、前記切削汚泥水回収パイプの内側区域における舗装路面の被切断個所の洗浄や該切削汚泥水回収パイプの内部の洗浄に際しては、必要に応じて、舗装路面の前記切断個所周辺に直接散水すると共に、環状中空体の排水口から給水し、それらによって二次的に発生した切削汚泥水の更なる回収のために、既述のような吸水口からの吸引、回収に切り換えるようにしてもよい。
【００１６】
前記構成によれば、舗装路面における道路勾配の低い舗装区域、即ち切削汚泥水の滞留し易い舗装区域においては、この舗装区域に対応する前記環状中空体の第一区間に設けられた吸水口により、切削汚泥水の吸引が集中的に行われ、他方、道路勾配の高い舗装区域、即ち切削汚泥水の滞留し難い舗装区域においては、この舗装区域に対応する前記環状中空体の第二区間に吸水口が設けられていないので、環状中空体の内部の真空度を低下させる無用な空吸引が行われないことになる。
【００１７】
前記環状中空体における第一区間と第二区間との区分けについては、前記第一区間と第二区間とが、前記環状中空体の全周に対して、例えば４０〜７０：６０〜３０の比率となるように区分けされることが好ましい。
【００１８】
前記切削汚泥水回収パイプには、第一区間と第二区間とを外観から識別し得る手段が設けられてもよい。前記構成によれば、舗装路面の切断作業の現場において、前記切削汚泥水回収パイプを舗装路面の道路勾配に応じた方向に作業性よく設置することができる。
【００１９】
前記第一区間と第二区間との識別の手段として、例えば、前記環状中空体自体やそれへの被覆材、塗装等に、前記第一区間及び／又は第二区間を示す矢印その他の標識や色分け等が施されてもよい。
【００２０】
前記切削汚泥水回収パイプでは、前記吸水口が、環状中空体の下端から内部上方に突入するように設けられることが好ましい。前記構成によれば、前記吸水口からの切削汚泥水の吸引時において、吸水口から吸引されて前記環状中空体の内部を排水口に向かって進行する切削汚泥水の流れが吸水口からの切削汚泥水の吸水を阻害する傾向が緩和され、それによって吸水口からの切削汚泥水の吸水が円滑に行われる。なお、前記吸水口には、前記環状中空体の内部に突入しない形態の吸水口が併用されてもよい。
【００２１】
前記吸水口は、種々のサイズを有する複数の円形その他の任意形状の穴やスリット、溝等であってもよく、またそれらは環状中空体の下端から下方に突出していてもよい。前記吸水口を環状中空体の下端から内部上方に突入させるように設けるために、例えば、所要形状、口径のノズルを前記環状中空体の下端から内部に装入させる構造であってもよい。
【００２２】
前記弾力性水密シール体は、舗装路面上への切削汚泥水回収パイプの設置に際して該舗装路面に当接され、発生した切削汚泥水を環状中空体から外側区域に漏出させることなく内側区域の舗装路面上に滞留させて、前記吸水口からの吸水を容易に可能にするものであり、例えば弾力性ゴムパッキン材からなるものを好適に使用することができる。前記構成によれば、環状中空体と舗装路面とが弾力性ゴムパッキン材の弾力性及び密着性により封止されるので、切削汚泥水の漏水が抑制されると共に切断終了後における洗浄も容易に行われる。前記弾力性ゴムパッキン材は、従来公知のもので、舗装路面との水密性が高く、適度の弾力性を有するものから選択することができる。なお、前記弾力性ゴムパッキン材等の弾力性水密シール体は、その下面が舗装路面に剥離可能に接着、粘着又は吸着するものであってもよい。
【００２３】
なお、前記弾力性ゴムパッキン材等の弾力性水密シール体の弾力性、密着性と舗装路面の凹凸状態等との関係で、不可避的に部分的な漏水が生じる場合は、環状中空体の第一区間における所要個所に、必要に応じて切断刃カバー周縁部の上から、例えば砂等の充填された可撓性の帯状重錘その他の重錘を配設し、或いは上方からの押圧具等を作用させることにより、下方への荷重が加えられてもよい。また、前記重錘の配設のために、前記環状中空体や切断刃カバー周縁部に該重錘を容易に受容し、或いは収容する手段が設けられてもよい。
【００２４】
前記切削汚泥水回収パイプは、円筒状ビットや円板状又は球冠状切断ブレード等の切断刃による舗装路面の切断に際して、通常、前記切断刃を覆う切断刃カバーの下端又は下端内側に配置された状態で既述のように舗装路面上に設置され、必要に応じて切断刃カバーと一体に移動し得るように、環状中空体と切断刃カバーとがロープ、ワイヤ、チェーン、フック等の結合具を介して着脱可能に連結されることが好ましい。
【００２５】
前記環状中空体は、切断刃の構造や切断刃による切断態様等に応じた、例えば円形状、楕円形状、四角形状等の所要の環状の形状に形成される。また、前記環状中空体の断面形状は、円形であってもいが、例えば四角形、台形、半円形等の場合のように、該環状中空体の外側底部が平坦に形成されたものでは、前記環状中空体にその平坦な外側底部を利用して、吸水口や弾力性水密シール体等を形成し易い。
【００２６】
前記環状中空体について、所要の目的に沿うものであればその材質に限定はなく、例えばステンレス、アルミニウム、プラスチック等の材料を適宜採用することができる。
【発明の効果】
【００２７】
請求項１に係る発明によれば、舗装路面の切断に際して、切削汚泥水回収パイプを舗装路面の道路勾配に応じて最適に設置することにより、舗装路面上に発生する切削汚泥水を、舗装路面の道路勾配に応じて舗装路面上から高い回収率で効率的に回収することができると共にそれによって下水道や公共用水域等の水質汚濁の防止に資するものである。
【００２８】
請求項２に係る発明によれば、舗装路面の切断作業の現場において、前記切削汚泥水回収パイプを舗装路面の道路勾配に応じた方向に作業性よく設置することができる。
【００２９】
請求項３に係る発明によれば、前記吸水口からの切削汚泥水の吸引時において、吸水口から吸引されて前記環状中空体の内部を排水口に向かって進行する切削汚泥水の流れが吸水口からの切削汚泥水の吸水を阻害する傾向が緩和され、それによって吸水口からの切削汚泥水の吸水が円滑に行われる。
【００３０】
請求項４に係る発明によれば、環状中空体と舗装路面とが弾力性ゴムパッキン材の弾力性及び密着性により封止されるので、切削汚泥水の漏水が一層抑制されると共に切断終了後における洗浄も容易に行われる。
【００３１】
請求項５に係る発明によれば、前記環状中空体にその平坦な外側底部を利用して、吸水口及び弾力性水密シール体を形成し易い。
【００３２】
さらに、請求項６に係る発明によれば、舗装路面の切断に際して、切削汚泥水回収パイプを舗装路面の道路勾配に応じて最適に設置することにより、舗装路面上に発生する切削汚泥水を、舗装路面の道路勾配に応じて舗装路面上から高い回収率で効率的に回収することができる。
【００３３】
また、請求項７に係る発明によれば、前記舗装路面上への切削汚泥水回収パイプの設置に際して、舗装路面と弾力性水密シール体との間の漏水をさらに防止することができる。
【００３４】
なお、前記の請求項１〜７に係る各発明の作用効果は、以上に記載した作用効果に限定されるものではない。
【図面の簡単な説明】
【００３５】
【図１】図１は、本発明の実施例に係る切削汚泥水回収パイプの設置状態を示す断面図である。
【図２】図２は、図１に示す削汚泥水回収パイプの設置に可撓性重錘を併用した状態を示す断面図である。
【図３】図３（Ａ）及び（Ｂ）は、本発明の実施例に係る切削汚泥水回収パイプの各々平面図及び底面図である。
【発明を実施するための形態】
【００３６】
図１及び図３（Ａ）及び（Ｂ）において、舗装路面１の被切断個所に、路面切断装置２の筒状ビット又は円板状若しくは球冠状切断ブレード等の切断刃３が舗装路面１の切断可能に配置され、前記被切断個所を囲むように切削汚泥水回収パイプ４が舗装路面１上に設置されている。また、路面切断装置２には切断刃３を覆うように切断刃カバー５が設けられ、前記切断刃カバー５の下端は前記切削汚泥水回収パイプ４の上端に当接され、或いは該切削汚泥水回収パイプ４を囲むように設けられている。また、前記切削汚泥水回収パイプ４は、前記切断刃カバー５の下端とチェーン、フック等の結合具６で連結可能とされている。
【００３７】
前記切削汚泥水回収パイプ４は、断面四角形の円形の環状中空体４aと、前記環状中空体４aの下端に内部と連通するように設けられた複数の吸水口４b1、４b2と、前記環状中空体４aにおける吸水口４b1、４b2の外側に該吸水口４b1、４b2の下端より下方に突出するように周設された断面四角形の弾力性ゴムパッキン材からなる弾力性水密シール体４cと、前記環状中空体４aに内部と連通するように形成されると共に吸水時や給水時に所要の外部ホースと着脱可能な口金を有する排水口４dとから構成されている。
【００３８】
なお、前記吸水口４b1、４b2の内、吸水口４b1は前記環状中空体４aの底部に内部上方に突入するように設けられ、また吸水口４b2は前記環状中空体４aの下端の内側面に、前記吸水口４b1と交互の配置となるように設けられている（理解を容易にするために、図１では、吸水口４b2について隠れ線ではなく、断面で示されている。）
【００３９】
前記環状中空体４aは、複数の吸水口４b1、４b2が形成されている第一区間４a1と、吸水口４b1、４b2が形成されていない第二区間４a2とが、一例として６０：４０程度の比率となるように区分けされており、その区分けを外観から識別し得るように、前記環状中空体４aの頂面から外側面に渡って接着された樹脂製の被覆体７における第一区間４a1及び第二区間４a2に対応する各部分が互いに色分けされている。
【００４０】
前記環状中空体４aが前記のように第一区間４a1と第二区間４a2とに区分けされた切削汚泥水回収パイプ４を、切断刃３による舗装路面１の切断時に、舗装路面１の被切断個所を囲むように舗装路面１上に設置するに際して、前記環状中空体４aの第一区間４a1が舗装路面１における道路勾配の低い舗装区域１Lに対応させられると共に、前記環状中空体４aの第二区間４a2が舗装路面１における道路勾配の高い舗装区域１Hに対応させられる。前記舗装路面１上への切削汚泥水回収パイプ４の設置時に、前記弾力性水密シール体４cは舗装路面１に当接された状態にある。
【００４１】
なお、前記弾力性ゴムパッキン材等の弾力性水密シール体４cの弾力性、密着性と舗装路面１の凹凸状態等との関係で、不可避的に部分的な漏水が生じる場合は、図２に示すように、環状中空体４aの第一区間４a1における所要個所に、必要に応じて切断刃カバー５周縁部の上から、可撓性の帯状重錘８が配設されてもよい。なお、図２には、前記環状中空体４aに吸水口４b1のみが形成された例が示されている。
【００４２】
舗装路面１の切断に際して、図１に示すように、前記切削汚泥水回収パイプ４が、環状中空体４aの排水口４dを介してバキューム装置１１に連結され、環状中空体４aの第一区間４a1における吸水口４b1、４b2から吸引、回収された切削汚泥水Ｓは、例えば沈降分離等による固液分離装置１２により水と汚泥とに分離され、分離された回収水Ｗは舗装路面の切断のための切断刃冷却水や切断個所等のための洗浄水等として再利用される。なお、図１では、前記切断刃３の初期冷却、切断後における舗装路面１の被切断個所等の洗浄等、必要に応じて適宜供給される清水のラインや切削汚泥水Ｓの固液分離後に分離された汚泥の処理ライン等については周知であることから、図示を省略している。
【符号の説明】
【００４３】
Ｓ  切削汚泥水
Ｗ  回収水
１  舗装路面
１L  道路勾配の低い舗装区域
１H  道路勾配の高い舗装区域
２  路面切断装置
３  切断刃
４  切削汚泥水回収パイプ
４a  環状中空体
４a1  第一区間
４a2  第二区間
４b1  吸水口（底面）
４b2  吸水口（内側面）
４c  弾力性水密シール体
４d  排水口
５  切断刃カバー
６  結合具
７  被覆体
８  帯状重錘
１１  バキューム装置
１２  固液分離装置
【図１】
2014088709.tif 000003
【図２】
2014088709.tif 000004
【図３】
2014088709.tif 000005